(57)【要約】【課題】シャッターユニットを備えた小型のカメラボディを提供する。【解決手段】カメラボディは、フレアカッターと、フロントケースと、制御基板とを備えている。フレアカッターは、第１の開口部を有している。フロントケースは、フレアカッターの第１面に対向して配置され、第１の開口部と対向する位置に第２の開口部を有している。制御基板は、フレアカッターの第１面の反対側の第２面に配置されている。フロントケースの外側からフレアカッターを見た場合、制御基板の一部は、フレアカッターと重ならない位置に配置されている。【選択図】図７
2015099350.tif 000002
【特許請求の範囲】
【請求項１】
第１の開口部を有するフレアカッターと、
前記フレアカッターの第１面に対向して配置され、前記第１の開口部と対向する位置に第２の開口部を有するフロントケースと、
前記フレアカッターの、前記第１面の反対側の第２面に配置される制御基板と、
を備え、
前記フロントケースの外側から前記フレアカッターを見た場合、前記制御基板の一部は、前記フレアカッターと重ならない位置に配置されている、
カメラボディ。
【請求項２】
前記第２の開口部は、前記第１の開口部より大きく形成されており、
前記フロントケースの外側から前記フレアカッターを見た場合、前記制
御基板の一部は、前記第２の開口部の内側で、かつ、前記第１の開口部の外側に配置されている
請求項１に記載のカメラボディ。
【請求項３】
前記制御基板の前記フロントケース側に電子部品をさらに備える
請求項１に記載のカメラボディ。
【請求項４】
前記フレアカッターの前記第２面に対向して配置され、前記第１の開口部よりも小さい第３の開口部を有するシャッターユニットをさらに備えた
請求項１に記載のカメラボディ。
【請求項５】
前記シャッターユニットは、
前記第３の開口部を覆う位置と覆わない位置とを移動可能なシャッター幕と、
前記シャッター幕が移動する空間と、を有しており、
前記シャッターユニットは、前記シャッター幕が移動する空間以外の箇所で、前記フレアカッターと接触している
請求項４に記載のカメラボディ。
【請求項６】
前記シャッターユニットは前記シャッター幕が移動する空間以外の箇所に基準ピンを有し、
前記フレアカッターには穴が設けられ、
前記基準ピンが前記穴に挿入され、前記シャッターユニットが前記フレアカッターに係合している
請求項５に記載のカメラボディ。
【請求項７】
前記シャッター幕が前記第３の開口部を覆わない状態において、
前記シャッターユニットの前記フレアカッターと対向する面と反対側の面から前記フレアカッターを見た場合、前記制御基板は、前記第３の開口部を挟んで、前記シャッター幕と対向する位置に配置されている
請求項５に記載のカメラボディ。
【請求項８】
前記シャッターユニットの前記フレアカッターと対向する面と反対側の面から前記フレアカッターを見た場合、前記制御基板は、前記シャッターユニットと重ならない位置に配置されている
請求項４に記載のカメラボディ。
【請求項９】
前記フレアカッターと、前記制御基板とを、前記フロントケースに保持する保持部材をさらに備えた
請求項１に記載のカメラボディ。
【発明の詳細な説明】
【技術分野】
【０００１】
本開示は、カメラボディに関する。特に、機械的なシャッターユニットを備えるカメラボディに関する。
【背景技術】
【０００２】
特許文献１は、シャッターユニットを備えるカメラボディを開示する。また、特許文献１のカメラボディは、入射光をファインダーに導くための反射ミラーを有さない、いわゆるミラーレスカメラを開示している。
【先行技術文献】
【特許文献】
【０００３】
【特許文献１】国際公開第２０１０／０２９７３１号
【発明の概要】
【発明が解決しようとする課題】
【０００４】
一眼レフカメラの場合、異なる種類の交換レンズをカメラボディに装着する必要がある。そのため、カメラボディが異なっても、交換レンズを装着する開口部を一定の形状に保つ必要がある。
【０００５】
また、従来のカメラボディにおいて、不要な光の入射を防ぐために、フロントユニットとシャッターユニットとの間にフレアカッターが配置される場合がある。
【０００６】
小型化のためフレアカッターやシャッターユニットを小さくすると、フロントケースの光軸が通る開口部とフレアカッターとの間に隙間ができ、光が漏れてしまう場合がある。
【０００７】
本開示は、シャッターユニットを備える、小型のカメラボディを提供する。
【課題を解決するための手段】
【０００８】
カメラボディは、フレアカッターと、フロントケースと、制御基板とを備えている。フレアカッターは、第１の開口部を有している。フロントケースは、フレアカッターの第１面に対向して配置され、第１の開口部と対向する位置に第２の開口部を有している。制御基板は、フレアカッターの第１面の反対側の第２面に配置されている。フロントケースの外側からフレアカッターを見た場合、制御基板の一部は、フレアカッターと重ならない位置に配置されている。
【発明の効果】
【０００９】
本開示によれば、フレアカッターやシャッターユニットを好適に配置できるので、カメラボディ全体の大きさを小さくできる。
【図面の簡単な説明】
【００１０】
【図１】本実施の形態におけるカメラボディの斜視図
【図２】本実施の形態におけるカメラボディのフロントユニットの斜視図
【図３】本実施の形態におけるカメラボディのフロントユニットの分解斜視図
【図４】本実施の形態におけるカメラボディのフロントユニットの前面図
【図５】本実施の形態におけるカメラボディの、フロントユニットの背面図
【図６】図５の線６−６における断面図
【図７】本実施の形態におけるカメラボディの、レンズマウントとマウントベースを外したフロントユニットの前面図
【図８Ａ】本実施の形態におけるカメラボディのフレアカッターの背面図
【図８Ｂ】本実施の形態におけるカメラボディのフレアカッターの側面図
【図９Ａ】本実施の形態におけるカメラボディのシャッターユニットの前面図
【図９Ｂ】本実施の形態におけるカメラボディのシャッターユニットの背面図
【図１０Ａ】本実施の形態におけるフレアカッターとシャッターユニットと制御基板を組み合わせた場合の前面図
【図１０Ｂ】本実施の形態におけるフレアカッターとシャッターユニットと制御基板を組み合わせた場合の背面図
【図１１】本実施の形態におけるフレアカッターと、シャッターユニットと、制御基板との関係を説明する断面模式図
【図１２】本実施の形態におけるフレアカッターと、シャッターユニットと関係を説明するための断面模式図
【図１３】本実施の形態におけるフロントケースとフレアカッターと制御基板の配置を示す模式図
【図１４】本実施の形態におけるフロントケースとフレアカッターと制御基板の他の配置を示す模式図
【発明を実施するための形態】
【００１１】
以下、適宜図面を参照しながら、本実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、添付図面および以下の説明は、当業者が本開示を十分に理解するために提供されるのであって、これらにより特許請求の範囲に記載の主題を限定することは意図されていない。
【００１３】
［１．構成］
［１−１．カメラボディの概略構成］
図１〜７を用いて本実施の形態におけるカメラボディ１１０の構成を説明する。なお、図３に示すように、フロントケース４００に対して、マウントベース３００が設置される方向を前面とする。また、フロントケース４００に対して、フレアカッター５００が設置される方向を背面とする。
【００１４】
以下に、カメラボディ１１０の構成について説明する。図１に示すように、カメラボディ１１０は、フロントユニット１１２とバックユニット１１４を有する。図３に示すように、フロントユニット１１２は、レンズマウント１００と、バヨネットスプリング２００と、マウントベース３００と、フロントケース４００と、フレアカッター５００と、シャッターユニット６００と、制御基板７００と、を有している。なお、フロントユニット１１２は、さらに撮像素子ユニット（図示せず）を有していてもよい。なお、撮像素子ユニットは、ネジ（図示せず）などで直接、フロントケース４００に保持されているのが好ましい。このようにすることで、撮像素子ユニットが、シャッターユニット６００を介してフロントケース４００に固定されないため、フロントユニット１１２がさらに小型になる。
【００１５】
［１−２．フロントケース前面構成］
次に、フロントケース４００およびフロントケース４００の前面に設置される部品について説明する。ミラーレスの一眼レフカメラでは、フロントユニットにミラーボックスが設置されていないため、交換レンズを取り付ける際に一定の強度が必要である。そのため、フロントケース４００は、マグネシウムなどの金属材料で形成されるのが好ましい。
【００１６】
フロントケース４００には、開口部４３０が形成されている。フロントケース４００の前面には、マウントベース３００と、バヨネットスプリング２００と、レンズマウント１００とが配置されている。フロントケース４００の前面には、ネジ孔４９１、４９２、４９３、４９４と、貫通孔４０５と、マウントベース３００を位置決めするための突起（図示せず）が設けられている。
【００１７】
マウントベース３００は、開口部３３０を有している。マウントベース３００の開口部３３０は、フロントケース４００の開口部４３０よりも狭い。マウントベース３００の下方には、ネジ孔３０５が形成されている。図３に示すように、ネジ８０５は、フロントケース４００の背面から貫通孔４０５を通過し、マウントベース３００のネジ孔３０５に取り付けられる。すなわち、フロントケース４００の貫通孔４０５と、マウントベース３００のネジ孔３０５に、ネジ８０５が取り付けられ、マウントベース３００とフロントケース４００が固定されている。
【００１８】
ネジ９９１、９９２、９９３、９９４が、レンズマウント１００を通して、対応するフロントケース４００のネジ孔４９１、４９２、４９３、４９４に取り付けられることにより、レンズマウント１００がフロントケース４００に保持されている。
【００１９】
［１−３．フロントケース背面構成］
次に、カメラボディ１１０のフロントケース４００の背面に設置される部品について説明する。フロントケース４００の背面に、フレアカッター５００と、シャッターユニット６００と、制御基板７００とが配置されている。さらにシャッターユニット６００と、制御基板７００の背面に、撮像素子ユニット（図示せず）が配置されていてもよい。
【００２０】
図７に示すように、制御基板７００の一部は、前面側から見た場合、フロントケース４００の開口部４３０（第２の開口部）の内側で、かつ、フレアカッター５００の開口部５３０（第１の開口部）の外側に配置されている。この構成により、カメラボディ１１０の小型化が実現できる。
【００２１】
［１−３−１．フレアカッター構成］
フレアカッター５００は、撮像素子に入射する光の開口エリアを満足する開口部５３０（第１の開口部）を有する。開口部５３０は、イメージサークルに対応する開口エリアを満足するため、８角形の形状をしている。ここで、フレアカッター５００の開口部５３０は、フロントケース４００の開口部４３０（第２の開口部）よりも小さい。以下に、フレアカッター５００の構成について詳細に説明する。
【００２２】
図８Ａは、本実施の形態におけるカメラボディ１１０のフレアカッター５００の背面図である。図８Ｂは、本実施の形態におけるカメラボディ１１０のフレアカッター５００の側面図である。
【００２３】
ネジ８０１、８０２を通過させるための、貫通孔５０１、５０２がフレアカッター５００に形成されている。また、ネジ８０１、８０２を通過させるための貫通孔７０１、７０２が、制御基板７００に形成されている（図３、図１０Ｂ参照）。貫通孔５０１、５０２は、制御基板７００の貫通孔７０１、７０２と対応する位置に形成されている。
【００２４】
ネジ８０１は、貫通孔７０１と、貫通孔５０１とを通過し、フロントケース４００の背面のネジ孔（図示せず）に取り付けられる（図３参照）。また、ネジ８０２は、貫通孔７０２と、貫通孔５０２とを通過し、フロントケース４００の背面のネジ孔３０２に取り付けられる（図３、図６参照）。
【００２５】
このように制御基板７００は、ネジ８０１、８０２などの部材により、フレアカッター５００に保持される。また、フレアカッター５００及び制御基板７００が、ネジ８０１、８０２などの部材により、フロントケース４００に、保持される。さらに、ネジ８０３は、フレアカッター５００の貫通孔５０３を通過し、フロントケース４００のネジ孔４０３に取り付けられる（図６参照）。上記の構成により、カメラボディの部品点数が削減される。
【００２６】
図８Ａ、図８Ｂに示すように、フレアカッター５００には、Ｕ字状のシャッター保持部５１０、５２０が形成されている。シャッター保持部５１０、５２０は、フレアカッター５００の開口部５３０を挟んだ両側から背面へ略９０度折れ曲がるように形成されている。
【００２７】
フレアカッター５００の下部には、孔５１１、５２１が形成されている。シャッター保持部５１０、５２０と、孔５１１、５２１は、フレアカッター５００とシャッターユニット６００を取り付けるために用いられる。
【００２８】
基準ピン５６１は、フレアカッター５００の背面の左下隅から突出している。また、基準ピン５６２は、フレアカッター５００の背面の右下隅から突出している。基準ピン５６１、５６２は、シャッターユニット６００の前面に接触する。
【００２９】
［１−３−２．シャッターユニット構成］
図９Ａ、図９Ｂを用いてシャッターユニット６００の構成について説明する。シャッターユニット６００は、シャッター幕６５０と、アーム６６０と、モーター６９０とを有している。本実施の形態では、シャッターユニット６００の開口部６３０を覆う位置と覆わない位置とを、独立して移動可能なシャッター幕６５０は一つである。すなわち、シャッターユニット６００は、単幕のメカニカルシャッターである。そのため、シャッターユニット６００の開口部６３０の上方には、シャッター幕を退避させる箇所は必要ではない。
【００３０】
図９Ａでは、シャッター幕６５０とアーム６６０とを点線で示している。図９Ａに示す状態において、シャッター幕６５０とアーム６６０は、フレアカッター５００の開口部５３０から見えない位置に配置されている。
【００３１】
シャッターユニット６００は、開口部６３０を有している。シャッターユニット６００の開口部６３０の大きさは、光学的に必要な有効範囲を確保できていればよい。具体的には、シャッターユニット６００の開口部６３０（第３の開口部）は、フレアカッター５００の開口部５３０（第１の開口部）より小さければよい。さらに、シャッターユニット６００の開口部６３０は、可能な限り小さい方が小型化のために好ましい。
【００３２】
突起６１０、６２０は、シャッターユニット６００の側面から突出している。突起６１１、６２１は、シャッターユニット６００の下面から突出している。突起６１０がシャッター保持部５１０に、突起６２０がシャッター保持部５２０に係合され、突起６１１が孔５１１に、突起６２１が孔５２１に、挿入されることにより、シャッターユニット６００がフレアカッター５００に保持される（図８Ａ、図９Ａ参照）。
【００３３】
ここで、シャッターユニット６００とフレアカッター５００とは、ネジのような部材で固定されていない。これは、シャッター幕６５０が移動した際に発生する振動を、別の部材（例えば、撮像素子ユニットや、交換レンズなど）に極力伝えないようにするためである。この構成により、シャッターユニット６００の振動が撮像素子に伝わるのが低減されるので、画像のぶれが少なくなる。
【００３４】
基準ピン６６１は、シャッターユニット６００の前面の左上隅から、突出している。また、基準ピン６６２は、シャッターユニット６００の前面の右上隅から突出している。基準ピン６６１、６６２は、フレアカッター５００の背面に接触する（図１２参照）。
【００３５】
［１−４．デジタルカメラの要部配置関係］
図１０Ａ、図１０Ｂを用いてフレアカッター５００、シャッターユニット６００及び制御基板７００の関係について説明する。
【００３６】
図１０Ａに示すように、制御基板７００の前面に、コイル７１１や、ＩＣ７１２などの電子部品が実装されている。コイル７１１と、ＩＣ７１２は、撮像素子ユニットの撮像素子の上に付着した塵等を払い落すために用いられる制御部品である。シャッターユニット６００の上方の空間を有効に活用するために、制御基板７００は、光軸に垂直な面内でシャッターユニット６００と重ならない位置に配置されている。そして、コイル７１１やＩＣ７１２などの電子部品は、フレアカッター５００と重ならない位置に配置されている。
【００３７】
図１０Ｂに示すように、シャッターユニット６００のフレアカッター５００と対向する面と反対側の面からフレアカッター５００を見た場合、制御基板７００は、光軸に垂直な面内でシャッターユニット６００と重ならない位置に配置されている。
【００３８】
また、シャッターユニット６００のフレアカッター５００と対向する面と反対側の面からフレアカッター５００を見た場合、制御基板７００は、シャッターユニット６００の開口部６３０を挟んで、シャッター幕６５０と対向する位置に配置されている。
【００３９】
以上の構成により、光漏れのない、小型のカメラボディ１１０が得られる。
【００４０】
制御基板７００の前面の一部は、フレアカッター５００の背面の一部と接触する。具体的には、制御基板７００は、フレアカッター５００の上方に位置し、制御基板７００の前面の下側がフレアカッター５００の背面の上側と接触する。すなわち、制御基板７００は、フレアカッター５００の、シャッターユニット６００と対向する面に、配置されている。この構成により、光漏れのない、小型のカメラボディ１１０が得られる。
【００４１】
フレアカッター５００には、開口部５３０が形成された面から、背面へ略９０度折れ曲がるようにフレキシブルプリント基板保持部５４０が形成されている。フレキシブルプリント基板保持部５４０には孔５７０が形成されている（図８Ｂ参照）。フレキシブルプリント基板７２０は、孔５７０を通過して、制御基板７００の背面のコネクタ７３０に接続されている。
【００４２】
フレキシブルプリント基板７２０をフレキシブルプリント基板保持部５４０の孔５７０に通過させた状態で、撮像素子ユニットが取り付けられる。このように、フレキシブルプリント基板保持部５４０を形成することにより、撮像素子ユニットの取り付け時に、フレキシブルプリント基板７２０の位置が決まるので、カメラボディ１１０の組み立てが容易になる。
【００４３】
図６及び図１１を用いて、本実施の形態におけるフロントケース４００と、フレアカッター５００と、シャッターユニット６００と、制御基板７００との関係を説明する。図６は図５の線６−６における断面図であり、図１１はその要部概略図である。なお、図１１は断面図であるが、ハッチングは省略している。
【００４４】
フロントケース４００の背面に、フレアカッター５００と、シャッターユニット６００と、制御基板７００とが配置されている。制御基板７００の一部は、前面側から見た場合、フロントケース４００の開口部４３０の内側で、かつ、フレアカッター５００の開口部５３０の外側に配置されている。この構成により、光漏れのない、小型のカメラボディ１１０が得られる。マウントベース３００とフレアカッター５００により、カメラボディ１１０の有効径が規定される。
【００４５】
図１２を用いて本実施の形態におけるフレアカッター５００と、シャッターユニット６００との関係を説明する。なお、図１２は断面図であるが、ハッチングは省略している。
【００４６】
フレアカッター５００には、基準ピン５６１、５６２が形成されている（図８Ａ、図１２参照）。また、シャッターユニット６００には、基準ピン６６１、６６２が形成されている（図９Ａ、図１２参照）。フレアカッター５００とシャッターユニット６００は、基準ピン５６１、５６２と、基準ピン６６１、６６２で位置決めされ、接触している。
【００４７】
図１２に示すように、シャッターユニット６００は箱状である。すなわち、シャッター幕６５０の移動する空間６８０を確保するため、シャッターユニット６００は、凹状の保持部材６７１と、板状の保持部材６７２とで構成されている。シャッター幕６５０が移動する空間６８０に対応する位置に、フレアカッター５００が接触すると、シャッターユニット６００の形状が変化する可能性がある。したがって、本実施の形態では、シャッター幕６５０が移動する空間６８０以外の箇所で、フレアカッター５００とシャッターユニット６００とを接触させている。このような構成にすることで、シャッターユニット６００の形状の変化を軽減している。
【００４８】
次に、基準ピン６６１、６６２の効果について説明する。フレアカッター５００には、基準ピン６６１、６６２に対応する位置に穴５６３、５６４が形成されている（図８Ａ、図１２参照）。基準ピン６６１、６６２が穴５６３、５６４に挿入され、シャッターユニット６００がフレアカッター５００に係合している。
【００４９】
もし、シャッターユニット６００に穴を設けた場合、穴を設けるための場所が必要となる。さらに、穴の周囲には一定の強度が必要であるため、シャッターユニット６００が大きくなったり、穴の周囲を囲む部材が必要となったりする。すると、シャッターユニット６００が大型化してしまい、カメラボディ１１０全体も大型化してしまう。
【００５０】
ここで、基準ピン６６１、６６２は、シャッターユニット６００の回転を規制する役割も兼ねている。基準ピン６６１、６６２は、図１２に示すように、２段のピン構成をしている。１段目のピンは、天面（６６１１、６６２１）でフレアカッター５００と接触し、シャッターユニット６００とフレアカッター５００との距離を規制する。先端の２段目のピンは、側面（６６１２，６６２２）でフレアカッター５００と接触し、シャッターユニット６００の回転を規制する。
【００５１】
なお、本実施の形態では、制御基板７００に、コイル７１１や、ＩＣ７１２などの電子部品を配置した。しかし、これに限らず、制御基板７００の上に他の電子部品、例えばストロボの制御回路などを配置しても良い。
【００５２】
図１３及び図１４を用いて他の実施形態について説明する。本実施の形態では、図１３に示すように、制御基板７００をフレアカッター５００の上方に配置した。しかし、図１４に示すように、制御基板７００をフレアカッター５００の下方に配置してもよい。
【００５３】
［２．効果］
以上のように、本実施の形態において、カメラボディ１１０は、フレアカッター５００と、フロントケース４００と、制御基板７００とを備えている。フロントケース４００は、フレアカッター５００の第１面に対向して配置されている。制御基板７００は、フレアカッター５００の第１面の反対側の第２面に接続されている。フロントケース４００の外側からフレアカッター５００を見た場合、制御基板７００の一部は、フレアカッター５００と重ならない位置に配置されている。
【００５４】
制御基板７００の一部は、前面側から見た場合、フロントケース４００の開口部４３０の内側で、かつ、フレアカッター５００の開口部５３０の外側に配置されている。この構成により、光漏れのない、小型のカメラボディ１１０が得られる。
【００５５】
以上のように、本出願において開示する技術の例示として、本実施の形態を説明した。しかしながら、本開示における技術は、これに限定されず、変更、置き換え、付加、省略などを行った本実施の形態にも適用可能である。
【産業上の利用可能性】
【００５６】
本開示は、シャッターユニットを備えるカメラボディに適用可能である。具体的には、ミラーレスカメラ、ムービーカメラ、一眼レフカメラなどに、本開示は適用可能である。
【符号の説明】
【００５７】
１００  レンズマウント
１１０  カメラボディ
１１２  フロントユニット
１１４  バックユニット
２００  バヨネットスプリング
３００  マウントベース
３０２、３０５、４０３、４９１、４９２、４９３、４９４  ネジ孔
３３０、４３０、５３０、６３０  開口部
４００  フロントケース
４０５、５０１、５０２、５０３、７０１、７０２  貫通孔
５００  フレアカッター
５１０、５２０  シャッター保持部
５４０  フレキシブルプリント基板保持部
５６１、５６２  基準ピン
５６３、５６４  穴
５１１、５２１、５７０  孔
６００  シャッターユニット
６１０、６１１、６２０、６２１  突起
６６１、６６２  基準ピン
６７１、６７２  保持部材
６８０  空間
６９０  モーター
７００  制御基板
７１１  コイル
７１２  ＩＣ
７２０  フレキシブルプリント基板
７３０  コネクタ
８０１、８０２、８０３、８０５、９９１、９９２、９９３、９９４  ネジ
【図１】
2015099350.tif 000003
【図２】
2015099350.tif 000004
【図３】
2015099350.tif 000005
【図４】
2015099350.tif 000006
【図５】
2015099350.tif 000007
【図６】
2015099350.tif 000008
【図７】
2015099350.tif 000009
【図８Ａ】
2015099350.tif 000010
【図８Ｂ】
2015099350.tif 000011
【図９Ａ】
2015099350.tif 000012
【図９Ｂ】
2015099350.tif 000013
【図１０Ａ】
2015099350.tif 000014
【図１０Ｂ】
2015099350.tif 000015
【図１１】
2015099350.tif 000016
【図１２】
2015099350.tif 000017
【図１３】
2015099350.tif 000018
【図１４】
2015099350.tif 000019